(57)【要約】【課題】地震時の災害発生を低減し、安全性の向上を図ることを可能とする。【解決手段】特低ガル地震感知器１６は、地震によって発生する震動を検出する。ＣＣＤカメラ１８は、エレベータ１０のかご１１に吊り下げられているテールコード１４の最下端部分の振動を検出する。エレベータ制御装置３０は、特低ガル地震感知器１６によって震動が検出された場合、エレベータ１０のかご１１を最寄階に停止させる。判定装置２０は、特低ガル地震感知器１６によって震動が検出された後、一定時間内に震動が検出されたか否かを判定する。判定装置２０は、一定時間内に震動が検出されていないと判定された場合、ＣＣＤカメラ１８によって検出されたテールコード１４の振動が予め設定された値以内であるかを判定する。エレベータ制御装置３０は、テールコード１４の振動が予め設定された値以内であると判定された場合、エレベータ１０を平常運転に復帰させる。【選択図】      図１
2009091100.tif 000002
【特許請求の範囲】
【請求項１】
地震発生時にエレベータの運転を制御するエレベータの地震管制運転制御システムにおいて、
地震によって発生する震動を検出する地震感知手段と、
前記エレベータのかごに吊り下げられているテールコードの最下端部分の振動を検出する振動検出手段と、
前記地震感知手段によって震動が検出された場合、前記エレベータのかごを最寄階に停止させる管制運転手段と、
前記地震感知手段によって震動が検出された後、当該地震感知手段によって一定時間内に震動が検出されたかを判定する第１の判定手段と、
前記一定時間内に震動が検出されていないと判定された場合、前記振動検出手段によって検出された前記テールコードの振動が予め設定された値以内であるかを判定する第２の判定手段と、
前記テールコードの振動が予め設定された値以内であると判定された場合、前記管制運転手段によって停止状態にある前記エレベータのかごを平常運転に復帰させる復帰制御手段と
を具備することを特徴とするエレベータの地震管制運転制御システム。
【請求項２】
前記振動検出手段は、前記テールコードの振動振幅を時間経過と共に定量的に測定するカメラを含むことを特徴とする請求項１記載のエレベータの地震管制運転制御システム。
【請求項３】
前記地震感知手段は、
地震により発生する第１のレベルの震動を検出する第１の感知手段と、
前記第１の感知手段とは別に、前記第１のレベルより大きい第２のレベルの震動を検出する第２の感知手段と
を含み、
前記管制運転手段は、前記第１の感知手段によって第１のレベルの震動が検出され、かつ、前記第２の感知手段によって第２のレベルの震動が検出されない場合に、前記エレベータの管制運転を行う
ことを特徴とする請求項１記載のエレベータの地震管制運転制御システム。
【請求項４】
振動検出手段は、前記地震感知手段によって震動が検出された後、前記テールコードの振動を時間経過と共に検出し、
前記第２の判定手段は、
前記時間経過と共に検出された振動の減衰の収束速度を算出する算出手段と、
前記算出された減衰の収束速度に応じて、前記予め設定された値を変更する変更手段と
を含む
ことを特徴とする請求項１記載のエレベータの地震管制運転制御システム。
【請求項５】
前記変更手段は、前記算出された収束速度が大きい場合には前記予め設定された値を大きくし、前記算出された収束速度が小さい場合には前記予め設定された値を小さくすることを特徴とする請求項４記載のエレベータの地震管制運転制御システム。
【請求項６】
前記テールコードを照らす照明装置を更に具備することを特徴とする請求項１記載のエレベータの地震管制運転制御システム。
【請求項７】
前記照明装置は、前記地震感知手段によって震動が検出されると点灯し、前記復帰手段により前記エレベータのかごが平常運転に復帰すると消灯することを特徴とする請求項６記載のエレベータの地震管制運転制御システム。
【発明の詳細な説明】
【技術分野】
【０００１】
本発明は、地震発生時にエレベータの運転を制御するエレベータの地震管制運転制御システムに関する。
【背景技術】
【０００２】
エレベータが設置されているビル等においては、例えば地震が発生した場合に、当該エレベータの災害を防ぎ、かつ、できるだけ速やかに当該エレベータを平常運転に復帰させることは極めて重要である。このため、エレベータが設けられている多くのビル等には、例えばエレベータの管制運転用地震感知器が設置されている。
【０００３】
この地震感知器は、一般的には、例えばビルの最上階にある機械室及び最下部である昇降路のピット内に設置されている。この地震感知器によれば、当該地震感知器が設置された床の加速度（地震により発生した加速度）が検出（感知）される。これにより、例えば地震感知器によって検出された加速度が予め定められている値（設定値）を超えた場合、地震時における管制運転（以下、地震管制運転と表記）が行われる。
【０００４】
地震管制運転においては、例えば地震感知器の動作レベルが低い、つまり微弱な地震（初期微動）のみが検出された場合には、エレベータのかごを最寄階に強制停止させる。エレベータのかごを強制停止させた後、戸開することによって、かご内の乗客を降車させる。その後、一定時間内に地震が検出されなかった場合には、エレベータの運転を自動的に平常運転に復帰（自動復旧）させることで地震管制運転は終了される。なお、高いレベルの地震が検出された場合には、安全性の観点から自動復旧は行われない。
【０００５】
上記したように、地震感知器により地震が検出された際には地震管制運転によりエレベータを最寄階で停止させるので、乗客の安全を確保できる。また、その後、一定時間内に地震を検出しない場合には、エレベータの運転を自動的に復旧させる。これにより、保守点検によるエレベータの運休の機会を減らすことができる。
【０００６】
しかしながら、例えば高層ビル等においては、例えばエレベータのかご下に接続され、当該エレベータのかごが昇降する昇降路内に吊り下げられているテールコードが地震の終了後も振動している場合がある。このテールコード等の振動の継続時間は、地震の振動の大きさ、振動周期またはかごの位置等によって異なる。
【０００７】
したがって、上述したように、地震感知器が微弱な地震を検出した後、一定時間内に地震を検出しない場合にエレベータを自動的に復旧させた場合、例えば地震発生後も継続するテールコードの振動により、当該テールコードが昇降路内に突出した機器（例えば着検板、レールブラケット、コンペロープ、ガバナロープ等）に接触する場合がある。これにより、例えばテールコードが損傷、あるいは昇降路内に取り付けられている機器等が破損すること等が考えられる。
【０００８】
なお、例えばテールコードが損傷した場合には、信号線の断線に伴い、正常なエレベ−タ制御ができなくなったり、または電源線の断線や短絡に伴い、かご側取付き機器が動作しなくなったりといった重大事故につながることが考えられる。
【０００９】
そこで、地震による多様な振動に対しても地震時の災害発生を低減し安全性の向上を図り、かつ、また保守運休の機会を減らすことで、サービスの向上を図ることができる技術（以下、先行技術と表記）が開示されている（例えば、特許文献１を参照）。この先行技術によれば、エレベータのかご下のテールコード受け部に取りけられたテールコード振動レベル検出装置がテールコードの振動の大きさ（レベル）を検出し、当該検出されたテールコード振動レベルが所定値以内になっている場合にエレベータを自動的に平常運転に復帰させる。
【特許文献１】特開平８−２４５１０６号公報
【発明の開示】
【発明が解決しようとする課題】
【００１０】
上記した先行技術では、テールコードの振動の大きさを検出するテールコード振動レベル検出装置は、エレベータのかご下のテールコード受け部に取り付けられている。
【００１１】
ここで、例えば高層ビル等においてテールコードが長いような場合を想定する。この場合、上記した先行技術においては、テールコード振動レベル検出装置はエレベータのかご下のテールコード受け部に取り付けられているため、当該テールコードが最も振動する当該テールコードの最下端部の振動については検出できない可能性がある。つまり、テールコード受け部に取り付けられたテールコード振動レベル検出装置によって検出された振動レベルは所定値以内である場合であっても、テールコードの最下端部では、依然振動が継続している場合がある。
【００１２】
この場合であっても、上記した先行技術においては、検出されたテールコード振動レベルは所定値以内であるので、エレベータは自動復旧される。これにより、上記したようにテールコードまたは昇降路内に取り付けられている機器等が損傷することが考えられる。
【００１３】
本発明の目的は、地震時の災害発生を低減し、安全性の向上を図ることが可能なエレベータ地震管理運転制御装置を提供することにある。
【課題を解決するための手段】
【００１４】
本発明の１つの態様によれば、地震発生時にエレベータの運転を制御するエレベータの地震管制運転制御システムが提供される。このエレベータの地震管制運転制御システムは、地震によって発生する震動を検出する地震感知手段と、前記エレベータに吊り下げられているテールコードの最下端部分の振動を検出する振動検出手段と、前記地震感知手段によって震動が検出された場合、前記エレベータのかごを最寄階に停止させる管制運転手段と、前記地震感知手段によって震動が検出された後、当該地震感知手段によって一定時間内に震動が検出されたかを判定する第１の判定手段と、前記一定時間内に震動が検出されていないと判定された場合、前記振動検出手段によって検出された前記テールコードの振動が予め設定された値以内であるかを判定する第２の判定手段と、前記テールコードの振動が予め設定された値以内であると判定された場合、前記管制運転手段によって停止状態にある前記エレベータのかごを平常運転に復帰させる復帰制御手段とを具備する。
【発明の効果】
【００１５】
本発明によれば、地震時の災害発生を低減し、安全性の向上を図ることを可能とする。
【発明を実施するための最良の形態】
【００１６】
以下、図面を参照して、本発明の各実施形態について説明する。
【００１７】
［第１の実施形態］
図１を参照して、本発明の第１の実施形態について説明する。図１は、本実施形態に係るエレベータの地震管制運転制御システムの構成を示す図である。
【００１８】
図１に示すように、エレベータの地震管制運転制御システムは、エレベータ１０、判定装置２０及びエレベータ制御装置３０を含む。
【００１９】
エレベータ１０は、かご１１、巻上機１２、カウンターウェイト１３、テールコード１４、昇降路つなぎ箱１５、特低ガル地震感知器１６、低／高ガル地震感知器１７及びＣＣＤ（Charge Coupled Device）カメラ１８を有する。
【００２０】
かご１１は、巻上機１２の駆動によりメインロープを介して昇降路内を昇降する。巻上機１２の回転軸に巻き掛けられたメインロープの一端にかご１１が連結され、他端に所定重量のカウンターウェイト１３が連結されており、巻上機１２の駆動に伴ってメインロープを介してかご１１とカウンターウェイト１３が互いに反対の方向につるべ式に上下移動する。かご１１の下面には、テールコード１４の一端が接続されており、昇降路つなぎ箱１５には、テールコード１４の他端が接続されている。テールコード１４は、図１に示すように、かご１１が昇降する昇降路内に吊り下げられている。
【００２１】
特低ガル地震感知器１６及び低／高ガル地震感知器１７は、地震によって発生する震動（加速度）を検出する。この特低ガル地震感知器１６及び低／高ガル地震感知器１７は、地震（震動）の強度により各々設定されたレベル（地震強度レベル）の震動を検出する。特低ガル地震感知器１６は、地震によって発生する第１のレベルの震動を検出する。低／高ガル地震感知器１７は、第１のレベルの震動より大きい第２のレベルの震動を検出する。
【００２２】
特低ガル地震感知器１６は、例えば昇降路最下部のピット内に設置される。特低ガル地震感知器１６は、例えば微弱な強度の地震発生時の初期微動で発生する加速度（特低ガル）を検出する。つまり、特低ガル地震感知器１６は、本地震が発生する前の初期微動が発生すると動作し、例えば当該特低ガル地震感知器１６が設置された床の加速度を検出することにより特低ガル（第１のレベルの震動）を検出する。特低ガル地震感知器１６は、当該特低ガル地震感知器１６が動作した場合に、検出された特低ガルを示す信号（震度強度レベル信号）を判定装置２０に送信する。
【００２３】
低／高ガル地震感知器１７は、例えばエレベータの上部に設けられているエレベータ機械室に設置される。低／高ガル地震感知器１７は、特低ガル地震感知器１６とは異なり、例えば建物やエレベータ機器に被害を生じさせる可能性のある程度の地震（地震強度レベルが高い地震）で発生する加速度（低ガルまたは高ガル）を検出する。低／高ガル地震感知器１７は、例えば地震強度レベルが高い地震が発生すると動作し、例えば当該低／高ガル地震感知器１７が設置された床の加速度を検出することにより低ガルまたは高ガル（第２のレベルの震動）を検出する。以下、低／高ガル地震感知器１７によって検出される低ガルまたは高ガルは、低／高ガルと表記する。
【００２４】
なお、低／高ガル地震感知器１７では、上記した特低ガル地震感知器１６によって検出されるような特低ガルは検出されない。低／高ガル地震感知器１７は、当該低／高ガル地震感知器１７が動作した場合に、検出された低／高ガルを示す信号（震度強度レベル信号）を判定装置２０に送信する。
【００２５】
ＣＣＤカメラ１８は、例えば昇降路最下部のピット内に設置されている。ＣＣＤカメラ１８は、かご１１に吊り下げられているテールコード１４の最下端部分を撮像可能な場所、例えば当該テールコード１４の真下等に設置されている。ＣＣＤカメラ１８は、テールコード１４の最下端部分を撮像することにより、当該テールコード１４の振動（揺れ）を検出するテールコード振動検出器として用いられる。このＣＣＤカメラ１８は、例えばテールコード１４の振動振幅を時間経過と共に定量的に測定（検出）可能である。ＣＣＤカメラ１８は、検出されたテールコード１４の振動のレベル（大きさ）を示す信号（テールコード振動レベル信号）を判定装置２０に送信する。
【００２６】
判定装置２０は、特低ガル地震感知器１６及び低／高ガル地震感知器１７によって送信された地震強度レベル信号及びＣＣＤカメラ１８によって送信されたテールコード振動レベル信号に基づいて、各判定処理を実行する。この判定装置２０の処理の詳細については後述する。
【００２７】
エレベータ制御装置３０は、判定装置２０による判定結果に応じて、エレベータ１０を制御する。具体的には、エレベータ制御装置３０は、エレベータ１０を例えば地震時におけるエレベータ１０の管制運転（以下、地震管制運転と表記）を行う。この地震管制運転においては、例えばエレベータ１０のかご１１を最寄階に停止させた後、当該かご１１を戸開させる。
【００２８】
また、エレベータ制御装置３０は、地震管制運転により停止状態にあるエレベータ１０のかご１１を平常運転に復帰させる制御を行う。
【００２９】
図２は、図１に示す判定装置２０のハードウェア構成を示すブロック図である。判定装置２０は、入力用インタフェース２１、ＲＯＭ２２、ＣＰＵ２３、ＲＡＭ２４及び出力用インタフェース２５を備える。
【００３０】
入力用インタフェース２１は、特低ガル地震感知器１６によって送信された地震強度レベル信号（特低ガルを示す信号）及び低／高ガル地震感知器１７によって送信された地震強度レベル信号（低／高ガルを示す信号）を入力する。また、入力用インタフェース２１は、ＣＣＤカメラ１８によって送信されたテールコード振動レベル信号を入力する。
【００３１】
ＲＯＭ２２には、例えばＣＰＵ２３によって実行されるプログラムが格納されている。ＲＡＭ２４には、入力用インタフェース２１によって入力された各状態量が格納される。
【００３２】
ＣＰＵ２３は、例えばＲＡＭ２４に格納されている情報をもとに、ＲＯＭ２２に格納されているプログラムを実行し、出力用インタフェース２５を介してエレベータ制御装置３０に対して制御信号を出力する。
【００３３】
次に、図３を参照して、前述した判定装置２０について説明する。図３は、判定装置２０の主として機能構成を示すブロック図である。
【００３４】
判定装置２０は、入力部２３１、特低ガル判定部２３２、低／高ガル判定部２３３、振動レベル判定部２３４及び通知部２３５を含む。本実施形態において、これらの各部２３１乃至２３５は、図２に示すＣＰＵ２３がＲＯＭ２２に格納されているプログラムを実行することにより実現されるものとする。このプログラムは、コンピュータ読み取り可能な記憶媒体に予め格納して頒布可能である。また、このプログラムが、ネットワークを介してダウンロードされても構わない。
【００３５】
入力部２３１は、特低ガル地震感知器１６によって送信された地震強度レベル信号（以下、第１の地震強度レベル信号と表記）を入力する。入力部２３１は、低／高ガル地震感知器１７によって送信された地震強度レベル信号（以下、第２の地震強度レベル信号と表記）を入力する。また、入力部２３１は、ＣＣＤカメラ１８によって送信されたテールコード振動レベル信号を入力する。
【００３６】
特低ガル判定部２３２は、特低ガル地震感知器１６によって検出された特低ガルを示す第１の地震強度レベル信号が入力部２３１によって入力されたか否かに基づいて、例えば微弱な強度の初期微動によって発生する加速度（特低ガル）が検出されたか否かを判定する。つまり、特低ガル判定部２３２は、特低ガル地震感知器１６が動作したか否かを判定する。
【００３７】
低／高ガル判定部２３３は、低／高ガル地震感知器１７によって検出された低／高ガルを示す第２の地震強度レベル信号が入力部２３１によって入力されたか否かに基づいて、例えば建物やエレベータ機器に障害を生じさせる可能性のある程度の地震（地震強度レベルが高い地震）によって発生する加速度（低／高ガル）が検出されたか否かを判定する。つまり、低／高ガル判定部２３３は、低／高ガル地震感知器１７が動作したか否かを判定する。
【００３８】
振動レベル判定部２３４は、入力部２３１によって入力されたテールコード振動レベル信号によって示されるテールコード１４の振動のレベル（大きさ）が例えば予め設定された値（設定値）以内であるか、つまり、所定の許容範囲内であるか否かを判定する。
【００３９】
通知部２３５は、上記した特低ガル判定部２３２、低／高ガル判定部２３３及び振動レベル判定部２３４による判定結果をエレベータ制御装置３０に通知する。この通知された判定結果により、エレベータ制御装置３０が制御される。
【００４０】
次に、図４のフローチャートを参照して、本実施形態に係るエレベータの地震管制運転制御システムの処理手順について説明する。このとき、エレベータ１０は、例えば平常運転を行っているものとする。
【００４１】
まず、上記したようにエレベータ１０が平常運転を行っている際に、地震が発生した場合を想定する（ステップＳ１）。この場合、判定装置２０の特低ガル判定部２３２は、特低ガル地震感知器１６が動作したか否かを判定する（ステップＳ２）。特低ガル判定部２３２は、特低ガル地震感知器１６によって検出された特低ガルを示す地震強度レベル信号（第１の地震強度レベル信号）が入力部２３１によって入力された場合、当該特低ガル地震感知器１６が動作したと判定する。
【００４２】
特低ガル地震感知器１６が動作したと判定された場合（ステップＳ２のＹＥＳ）、低／高ガル判定部２３３は、低／高ガル地震感知器１７が動作したか否かを判定する（ステップＳ３）。低／高ガル判定部２３３は、低／高ガル地震感知器１７によって検出された低／高ガルを示す地震強度レベル信号（第２の地震強度レベル信号）が入力部２３１によって入力された場合、当該低／高ガル地震感知器１７が動作したと判定する。
【００４３】
低／高ガル地震感知器１７が動作していないと判定された場合（ステップＳ３のＮＯ）、通知部２３５は、特低ガル地震感知器１６が動作し、低／高ガル地震感知器１７が動作していないという判定結果をエレベータ制御装置３０に通知する。通知部２３５からの通知を受けると、エレベータ制御装置３０は、エレベータ１０の管制運転を実行する。
【００４４】
エレベータ制御装置３０は、エレベータ１０（のかご１１）が昇降路内を走行中（昇降中）であるか否かを判定する（ステップＳ４）。
【００４５】
エレベータ１０のかご１１が走行中であると判定された場合（ステップＳ４のＹＥＳ）、エレベータ制御装置３０は、当該かご１１を最寄階に強制的に停止させる（ステップＳ５）。
【００４６】
エレベータ制御装置３０は、強制停止させたエレベータ１０のかご１１を戸開し、一定時間後に戸閉する（ステップＳ６）。これにより、例えば地震発生時にエレベータ１０のかご１１内の乗客を降車させることができる。
【００４７】
次に、判定装置２０の特低ガル判定部２３２は、例えば上記したステップＳ２において特低ガル地震感知器１６が動作（つまり、特低ガルを検出）したと判定された後、一定時間以内に地震（によって発生する震動）が検出されたか否かを判定する（ステップＳ７）。特低ガル判定部２３２は、特低ガル地震感知器１６が動作したか否かを判定することにより、地震が検出されたか否かを判定する。
【００４８】
一定時間以内に地震が検出されていないと判定された場合（ステップＳ７のＮＯ）、入力部２３１は、ＣＣＤカメラ１８によって送信されたテールコード振動レベル信号を入力する（ステップＳ８）。上述したように、このＣＣＤカメラ１８は、上述したように例えば昇降路最下部のピット内に設置され、かご１１に吊り下げられているテールコード１４の最下端部分を撮像することにより、当該テールコード１４の振動振幅を時間経過と共に定量的に検出可能なテールコード振動検出器である。
【００４９】
次に、振動レベル判定部２３４は、入力部２３１によって入力されたテールコード振動レベル信号によって示されるエレベータ１０内に設けられているテールコード１４の振動のレベル（大きさ）が予め設定された値（設定値）以内であるか否かを判定する（ステップＳ９）。ここで、設定値は、例えばテールコード１４が昇降路内の他の機器に接触しない程度の振動のレベルを示す。
【００５０】
テールコード１４の振動のレベルが設定値以内であると判定された場合（ステップＳ９のＹＥＳ）、通知部２３５は、当該判定結果をエレベータ制御装置３０に通知する。この通知部２３５からの通知を受けると、エレベータ制御装置３０は、管制運転により停止状態にあるエレベータ１０のかご１１を平常運転に復帰させる（ステップＳ１０）。
【００５１】
つまり、上記したように例えば特低ガルを最終検出後、一定時間以内において地震が検出されず、かつ、ＣＣＤカメラ１８によって検出されるテールコード１４の振動レベルが設定値（所定の許容範囲）以内になっている場合に、エレベータ１０（のかご１１）を自動的に平常運転に復帰させる。
【００５２】
一方、ステップＳ２において特低ガル地震感知器１６が動作していないと判定された場合、平常運転が維持され、ステップＳ１に戻って処理が繰り返される。
【００５３】
また、ステップＳ３において低／高ガル地震感知器１７が動作したと判定された場合、エレベータ１０において通常の地震管制運転が行われる（ステップＳ１１）。ここで、通常の地震管制運転においては、上記したステップＳ４〜ステップＳ６の処理と同様の処理が実行される。この通常の地震管制運転で行われる処理と上記したステップＳ４以降の処理とで異なる点は、エレベータ１０を自動的に平常運転に復帰させない点にある。ステップＳ４以降の処理は、上記したように特低ガルが検出され、かつ、低／高ガルが検出されない場合に実行される。これに対して、通常の地震管制運転は、特低ガルが検出され、かつ、低／高ガルが検出された場合に行われる。つまり、ここで言う通常の地震管制運転では、上記したステップＳ４以降の処理が実行される場合と比較して、より大きな地震が検出されているため、安全性の観点からエレベータ１０の自動復帰処理は行われない。
【００５４】
また、ステップＳ４の処理においてエレベータ１０のかご１１が走行中でないと判定された場合、ステップＳ６の処理が実行される。
【００５５】
また、ステップＳ７において一定時間以内に地震が検出されたと判定された場合、ステップＳ２の処理が実行される。
【００５６】
また、ステップＳ９においてテールコード１４の振動のレベルが設定値以内でないと判定された場合、ステップＳ７の処理が実行される。つまり、テールコード１４の振動のレベルが設定値以内に減衰するまでエレベータ１０を平常運転に復帰させない。
【００５７】
図５を参照して、エレベータ１０を平常運転に復帰させる処理について具体的に説明する。図５は、例えば地震発生に伴うテールコード１４の時間経過による振動状態の一例を示す。なお、図５に示す点線７００は、上記した振動レベル判定部２３４による判定処理の基準となる予め設定された値、つまり、設定値を表す。
【００５８】
図５に示す例では、例えば時間ｔ１に地震が発生したものとする。つまり、時間ｔ１に地震が検出されたものとする。この地震の発生直後は、当該地震によるテールコード１４の振動（振幅）のレベルは大きい。その後、地震が検出されなくなると、図５に示すように、次第にテールコード１４の振動は減衰する。
【００５９】
ここで、例えば時間ｔ１において地震が検出された後、一定時間以内に地震が検出されていない場合を想定する。なお、時間ｔ１の一定時間後は時間ｔ２であるものとする。この場合において、時間ｔ１の一定時間後である時間ｔ２においては、図５に示すように、テールコード１４の振動のレベルが設定値以上である。この場合、上記したように時間ｔ２においては、地震は検出されていないが、テールコード１４の振動レベルが設定値以上である（つまり、テールコード１４が依然振動している）ため、エレベータ１０を平常運転に復帰させない。
【００６０】
また、同様に、例えば時間ｔ２から一定時間以内にも地震が検出されていない場合を想定する。なお、例えば時間ｔ２から更に一定時間後が時間ｔ３であるものとする。この場合において、時間ｔ２の一定時間後である時間ｔ３においては、図５に示すように、テールコード１４の振動のレベルが設定値以内である。この場合、地震が検出されておらず、かつ、テールコード１４の振動レベルが設定値以内（つまり、少なくともテールコード１４が他の機器等に接触しない程度の振動のレベル）であるため、エレベータ１０を平常運転に復帰させる。
【００６１】
上記したように本実施形態においては、例えば昇降路内に設けられているテールコード１４の振動状態を検出してエレベータ１０の平常運転の自動復帰時を制御することにより、当該昇降路内の機器（突出部）と接触することでテールコード１５または当該昇降路内の機器が損傷（破損）することを防止することが可能となる。つまり、例えば昇降行程の長い高層ビル等に設置されたエレベータ１０においては、特低ガル地震感知器１６（または低／高ガル地震感知器１７）によって検出された地震が終了した以降であってもテールコード１４の振動が残っている場合があるため、当該テールコード１４の振動レベルが設定値以内に収まってからエレベータ１０を自動復帰運転させることで、保守運休によるエレベータ１０のサービスを低下させることなく、地震による多様な震動に対しても、地震発生時の災害を軽減でき、安全性の向上を図ることが可能となる。
【００６２】
また、本実施形態においては、テールコード１４の振動を検出するテールコード振動検出器として、例えば昇降路最下部のピット内に設置されたＣＣＤカメラ１８を用いることにより、当該テールコード１４において最も振動レベルが大きくなる当該テールコード１４の最下端部分の振動を検出することができる。したがって、例えばエレベータ１０のかご１１の下面のテールコード受け部等にテールコード検出器を取り付けた場合と比較して、より正確にテールコード１４の振動を検出することが可能となる。
【００６３】
また、本実施形態においては、構造上においても既存のエレベータ設備への適用が容易である。
【００６４】
なお、本実施形態においてはＣＣＤカメラ１８が例えば昇降路最下部のピット内に設置されるものとして説明したが、当該ＣＣＤカメラ１８は、当該昇降路最下部のピット内に限らず、例えばテールコード１４の最下端部分付近の昇降路壁等のようなテールコード１４の振動を検出可能な場所に設置される構成であればよい。
【００６５】
［第２の実施形態］
次に、図６を参照して、本発明の第２の実施形態について説明する。図６は、本実施形態に係るエレベータの地震管制運転制御システムに含まれる判定装置４０の主として機能構成を示すブロック図である。なお、前述した図３と同様の部分には同一参照符号を付してその詳しい説明を省略する。ここでは、図３と異なる部分について主に述べる。また、図６に示す判定装置４０のハードウェア構成は、前述した第１の実施形態の判定装置２０と同様であるため、図２を用いて説明する。また、本実施形態に係るエレベータの地震管制運転制御システムは、前述した第１の実施形態と比べて判定装置４０以外は同様の構成であるため、適宜、図１を用いて説明する。
【００６６】
図６に示すように、判定装置４０は、設定値変更部２３６を含む。本実施形態において、設定値変更部２３６は、図２に示すＣＰＵ２３がＲＯＭ２２に格納されているプログラムを実行することにより実現されるものとする。
【００６７】
設定値変更部２３は、特低ガル地震感知器１６（または低／高ガル地震感知器１７）による地震検出後、例えば時間経過と共に検出されたテールコード１４の振動を示すテールコード振動レベル信号に基づいて、当該テールコード１４の振動レベルの減衰の収束速度（以下、減衰速度と表記）を算出する。このテールコード振動レベル信号は、入力部２３１によってＣＣＤカメラ１８から入力される。設定値変更部２３は、算出された減衰速度に応じて、振動レベル判定部２３４による判定の基準となる設定値を変更する。なお、設定値変更部２３は、時間経過と共に検出されたテールコード１４の振動レベルが増幅している場合には、減衰速度を算出しない。
【００６８】
次に、図７及び図８を参照して、設定値を変更する処理の具体例について説明する。図７及び図８は、例えば地震発生に伴うテールコード１４の時間経過による振動状態の一例を示す。
【００６９】
図７は、例えば地震によって発生したテールコード１４の振動の減衰速度が小さい場合の例を示す。
【００７０】
図７に示すように、地震発生から時間経過に伴いテールコード１４の振動（振幅）は減衰している。図７に示す例では、設定値変更部２３６により時間経過によるテールコード１４の振動レベルから算出された減衰速度は、小さい。この場合には、設定値変更部２３６は、予め設定されている設定値７００を例えば低めの振動レベルである設定値７０１に変更する。
【００７１】
図８は、例えば地震によって発生したテールコード１４の振動の減衰速度が大きい場合の例を示す。
【００７２】
図８に示すように、地震発生から時間経過に伴いテールコード１４の振動は減衰している。図８に示す例では、設定値変更部２３６により時間経過によるテールコード１４の振動レベルから算出された減衰速度は、大きい。この場合には、設定値変更部２３６は、予め設定されている設定値７００を例えば高めの振動レベルである設定値７０２に変更する。
【００７３】
このようにすることで、例えば振動レベル判定部２３４による判定の基準となる設定値を、設定値変更部２３６によって算出された減衰速度に応じた設定値に変更することが可能となる。
【００７４】
上記したように本実施形態においては、振動レベル判定部２３４による判定の基準となる設定値を、テールコード１４の振動レベルの減衰速度が大きい場合には高めの振動レベルの設定値に変更する。一方、テールコード１４の振動レベルの減衰速度が小さい場合には低めの振動レベルの設定値に変更する。これにより、例えばエレベータ１０のかご１１が最寄階に強制停止されることにより拘束されている時間を、テールコード１４の振動状態（つまり、減衰速度）により短くし、平常運転への自動復帰を早めることが期待でき、サービス面の向上を図ることが可能となる。
【００７５】
［第３の実施形態］
次に、図９を参照して、本発明の第３の実施形態について説明する。図９は、本実施形態に係るエレベータの地震管制運転制御システムの構成を示す図である。なお、前述した図１と同様の部分には同一参照符号を付してその詳しい説明を省略する。ここでは、図１と異なる部分について主に述べる。
【００７６】
図９に示すように、エレベータの地震管制運転制御システムは、エレベータ１００を含む。エレベータ１００は、照明装置１０１を備える。
【００７７】
照明装置１０１は、例えば昇降路最下部のピット内であってＣＣＤカメラ１８の近傍に設置されている。照明装置１０１は、判定装置に２０によって制御されており、例えば地震が検出されると点灯する。また、照明装置１０１は、例えばエレベータ１０が平常運転に復帰すると消灯する。つまり、照明装置１０１は、例えば判定装置２０によって制御されており、例えば地震が検出されてからエレベータ１０が平常運転に自動復帰するまでの間、点灯する。また、照明装置１０１は、点灯することにより、例えばテールコード１４の最下端部分（ＣＣＤカメラ１８によってテールコード１４の振動が検出される箇所）を照らす。これにより、例えばテールコード１４の振動状態（振動レベル）をＣＣＤカメラ１８により確認（検出）しやすくする。
【００７８】
上記したように本実施形態においては、例えば昇降路最下部のピット内に設置された照明装置１０１により昇降路内を照らすことによりテールコード１４の振動状態をＣＣＤカメラ１８によって検出しやすくすることで、より確実にテールコード１４の振動状態を検出することが可能となる。これにより、例えば上述した第１の実施形態と比較して、より地震時の災害発生を低減し、安全性の向上を図ることができる。
【００７９】
なお、本実施形態においては、照明装置１０１が昇降路最下部のピット内に設置されるものとして説明したが、例えばテールコード１４の最下端部分付近の昇降路壁等に設置する構成であっても構わない。
【００８０】
なお、本願発明は、上記各実施形態そのままに限定されるものではなく、実施段階ではその要旨を逸脱しない範囲で構成要素を変形して具体化できる。また、上記各実施形態に開示されている複数の構成要素の適宜な組合せにより種々の発明を形成できる。例えば、各実施形態に示される全構成要素から幾つかの構成要素を削除してもよい。更に、異なる実施形態に亘る構成要素を適宜組合せてもよい。
【図面の簡単な説明】
【００８１】
【図１】本発明の第１の実施形態に係るエレベータの地震管制運転制御システムの構成を示す図。
【図２】図１に示す判定装置２０のハードウェア構成を示すブロック図。
【図３】判定装置２０の主として機能構成を示すブロック図。
【図４】本実施形態に係るエレベータの地震管制運転制御システムの処理手順を示すフローチャート。
【図５】地震発生に伴うテールコード１４の時間経過による振動状態の一例を示す図。
【図６】本発明の第２の実施形態に係るエレベータの地震管制運転制御システムに含まれる判定装置４０の主として機能構成を示すブロック図。
【図７】地震によって発生したテールコード１４の振動の減衰速度が小さい場合の例を示す図。
【図８】地震によって発生したテールコード１４の振動の減衰速度が大きい場合の例を示す図。
【図９】本発明の第３の実施形態に係るエレベータの地震管制運転制御システムの構成を示す図。
【符号の説明】
【００８２】
１０，１０１…エレベータ、１１…かご、１２…巻上機、１３…カウンターウェイト、１４…テールコード、１５…昇降路つなぎ箱、１６…特低ガル地震感知器（第１の感知手段）、１７…低／高ガル地震感知器（第２の感知手段）、１８…ＣＣＤカメラ（振動検出手段）、２０，４０…判定装置、２１…入力用インタフェース、２２…ＲＯＭ、２３…ＣＰＵ、２４…ＲＡＭ、２５…出力用インタフェース、３０…エレベータ制御装置、１０１…照明装置、２３１…入力部、２３２…特低ガル判定部（第１の判定手段）、２３３…低／高ガル判定部、２３４…振動レベル判定部（第２の判定手段）、２３５…通知部、２３６…設定値変更部。
【図１】
2009091100.tif 000003
【図２】
2009091100.tif 000004
【図３】
2009091100.tif 000005
【図４】
2009091100.tif 000006
【図５】
2009091100.tif 000007
【図６】
2009091100.tif 000008
【図７】
2009091100.tif 000009
【図８】
2009091100.tif 000010
【図９】
2009091100.tif 000011